(57)【要約】【課題】煩雑な作業を必要とせずに、箱体内部への雨水等の浸入を抑制することができるスイッチギヤの換気装置を提供する。【解決手段】換気装置２０は、スイッチギヤ１０の箱体１１の側壁１１ａに設けられた換気口１３を覆うように側壁１１ａの外面に装着された換気カバー２１と、換気カバー２１の下部に設けられた通気口２４Ｘとを有する。換気装置２０は、換気カバー２１の内部であって通気口２４Ｘと換気口１３との間に、換気カバー２１の背面２１ｄ及び前面２１ｃの両側から互い違いに配列された複数の吹き込み防止板２２，２３を有する。吹き込み防止板２２，２３は、背面２１ｄ又は前面２１ｃから換気カバー２１内部の中央部に向かうに連れて下方に傾斜するように設けられている。【選択図】図２
2016208679.tif 000002
【特許請求の範囲】
【請求項１】
スイッチギヤの換気装置であって、
前記スイッチギヤの箱体の周壁に設けられた換気口を覆うように、前記周壁の外面に装着された箱状の換気カバーと、
前記換気カバーの下部に設けられた通気口と、
前記換気カバーの内部であって前記通気口と前記換気口との間に、前記換気カバーの対向する外周面両側から互い違いに配列された複数の吹き込み防止板と、を有し、
前記各吹き込み防止板は、前記各外周面から前記換気カバー内部の中央部に向かうに連れて下方に傾斜することを特徴とするスイッチギヤの換気装置。
【請求項２】
請求項１に記載のスイッチギヤの換気装置において、
前記互い違いに配列された複数の吹き込み防止板は、上下方向の平面視において一部が重なるように設けられ、
前記複数の吹き込み防止板によって迷路構造の通気路が形成されていることを特徴とするスイッチギヤの換気装置。
【発明の詳細な説明】
【技術分野】
【０００１】
本発明は、スイッチギヤの換気装置に関する。
【背景技術】
【０００２】
従来のスイッチギヤでは、電気機器を収納する箱体の内部を換気するために箱体の周壁に換気口が設けられ、その換気口を覆う換気カバーが設けられている。さらに、換気カバーに設けられた通気口と上記換気口との間に、可倒式の雨除け板を設けたスイッチギヤも提案されている（例えば、特許文献１参照）。この種のスイッチギヤでは、激しい風等によって雨水や氷雪が巻き上げられる場合に、雨除け板を倒して換気カバーの通気口を閉塞し外気を遮断することによって、通気口及び換気口を通じて箱体内部に雨水等が浸入することを防止している。
【先行技術文献】
【特許文献】
【０００３】
【特許文献１】特開平１０−１０８３０９号公報
【発明の概要】
【発明が解決しようとする課題】
【０００４】
しかしながら、従来のスイッチギヤでは、激しい風等によって雨水や氷雪が巻き上げられる場合に、換気カバーの通気口を閉塞するように手動にて雨除け板を動かす必要があり、その作業が煩雑である。
【０００５】
本発明は、上記課題を解決するためになされたものであって、その目的は、煩雑な作業を必要とせずに、箱体内部への雨水等の浸入を抑制することができるスイッチギヤの換気装置を提供することにある。
【課題を解決するための手段】
【０００６】
上記課題を解決するスイッチギヤの換気装置は、前記スイッチギヤの箱体の周壁に設けられた換気口を覆うように、前記周壁の外面に装着された箱状の換気カバーと、前記換気カバーの下部に設けられた通気口と、前記換気カバーの内部であって前記通気口と前記換気口との間に、前記換気カバーの対向する外周面両側から互い違いに配列された複数の吹き込み防止板と、を有し、前記各吹き込み防止板は、前記各外周面から前記換気カバー内部の中央部に向かうに連れて下方に傾斜する。
【０００７】
この構成によれば、複数の吹き込み防止板が、換気カバーの対向する外周面両側から互い違いに配列され、外周面から換気カバー内部の中央部に向かうに連れて下方に傾斜するように設けられる。これにより、複数の吹き込み防止板によって、換気カバー内に浸入した雨水等を好適に跳ね返して換気カバーの外部に放出することができる。このため、雨水等が箱体の内部に浸入することを好適に抑制することができる。
【０００８】
また、複数の吹き込み防止板によって雨水等の吹き込みが抑制される。このため、換気カバー内部に通気路を確保しつつも、吹き込み防止板が１つの場合に比べて、吹き込み防止板の面積を広く確保することができる。これにより、換気カバーの下方から内部に浸入した雨水等を複数の吹き込み防止板で好適に止めることができる。したがって、スイッチギヤの設置後に複数の吹き込み防止板の取付角度を変更することなく、雨水等が箱体の内部に浸入することを好適に抑制することができる。
【０００９】
上記スイッチギヤの換気装置において、前記互い違いに配列された複数の吹き込み防止板は、上下方向の平面視において一部が重なるように設けられ、前記複数の吹き込み防止板によって迷路構造の通気路が形成されている。
【００１０】
この構成によれば、複数の吹き込み防止板によって換気カバー内に迷路構造の通気路が形成される。これにより、換気カバーの下方から内部に浸入した雨水等が複数の吹き込み防止板の間を通り抜けることを好適に抑制することができ、その雨水等が換気口を通じて箱体の内部に浸入することを好適に抑制することができる。
【発明の効果】
【００１１】
本発明のスイッチギヤの換気装置によれば、煩雑な作業を必要とせずに、箱体内部への雨水等の浸入を抑制することができる。
【図面の簡単な説明】
【００１２】
【図１】一実施形態におけるスイッチギヤを示す概略斜視図である。
【図２】一実施形態におけるスイッチギヤを示す概略断面図である。
【図３】一実施形態における換気装置を示す概略斜視図である。
【発明を実施するための形態】
【００１３】
以下、スイッチギヤの換気装置の一実施形態について説明する。
図１に示すように、スイッチギヤ１０は、遮断器や変圧器等の電気機器１２を収容する箱体（筐体）１１と、箱体１１の一側壁（ここでは、側壁１１ａ）に設けられた換気装置２０とを有している。このスイッチギヤ１０は、屋外に設置される屋外形スイッチギヤである。側壁１１ａは、箱体１１の周壁であり、箱体１１の底壁に立設されている。
【００１４】
なお、以下の説明では、換気装置２０が設けられる側壁１１ａの内側及び外側を規定する方向を「前後方向Ｘ」とし、鉛直方向に沿う方向を「上下方向Ｚ」とし、前後方向Ｘ及び上下方向Ｚの両方に直交する方向を「左右方向Ｙ」とする。また、前後方向Ｘにおいて、側壁１１ａから換気装置２０に向かう方向を「前方」とし、換気装置２０から側壁１１ａに向かう方向を「後方」とする。
【００１５】
図２に示すように、側壁１１ａの上方には、換気口１３が貫設されている。換気口１３は、例えば、箱体１１の内部に設けられる換気扇４０に対応した形状に形成されている。本例の換気口１３は、箱体１１内部で暖められた空気を箱体１１の外部に排出するための排気口である。
【００１６】
換気装置２０は、換気口１３を覆うように側壁１１ａの外面に装着された換気カバー２１と、換気カバー２１の内部に設けられた複数（ここでは、２つ）の吹き込み防止板２２，２３と、防虫網２４とを有している。
【００１７】
換気カバー２１は、下面開口の箱状に形成されている。図１に示すように、換気カバー２１は、左右方向Ｙに相対向して配置された側面２１ａ，２１ｂと、側面２１ａ，２１ｂを介して前後方向Ｘに相対向して配置された前面２１ｃ及び背面２１ｄと、段差部を有する上面２１ｅとを有し、下方側が開放された箱体に形成されている。図２に示すように、換気カバー２１の下面には開口２１Ｘが形成され、その開口２１Ｘに防虫網２４が設けられている。防虫網２４は、多数の微小な通気口２４Ｘが網目状に形成されており、昆虫等が換気カバー２１及び換気口１３を通じて箱体１１内部に侵入することを抑制している。これにより、換気カバー２１の下部には、多数の通気口２４Ｘが形成されている。
【００１８】
本例の換気カバー２１は、その背面２１ｄが換気口１３の周縁部における側壁１１ａの外面に装着されることにより、側壁１１ａの外面に装着されている。また、背面２１ｄには、換気口１３に連通した連通口２５が貫設されている。
【００１９】
吹き込み防止板２２，２３は、換気口１３（連通口２５）と防虫網２４の通気口２４Ｘとの間に設けられている。吹き込み防止板２２と吹き込み防止板２３とは、換気カバー２１の対向する外周面（ここでは、前面２１ｃ及び背面２１ｄ）両側から互い違いに配列されている。具体的には、吹き込み防止板２２と吹き込み防止板２３とは、上下方向Ｚにおいて異なる位置に配置されるとともに、前後方向Ｘ（つまり、前面２１ｃと背面２１ｄとが対向する方向）において異なる位置に配置されている。より具体的には、吹き込み防止板２２は、吹き込み防止板２３よりも上方に配置され、吹き込み防止板２３よりも側壁１１ａ（背面２１ｄ）側に配置されている。さらに、吹き込み防止板２２と吹き込み防止板２３とは、上下方向Ｚの平面視において一部が重なるように配置されている。但し、吹き込み防止板２２，２３は、それら吹き込み防止板２２の下面と吹き込み防止板２３の上面との間に隙間が形成されるように配置されている。これら吹き込み防止板２２，２３によってクランク状に曲がりくねった迷路構造の通気路（ここでは、排気路）が換気カバー２１内に形成されている。そして、換気装置２０では、換気口１３から上記通気路を通じて防虫網２４の通気口２４Ｘまで通気可能になっている。
【００２０】
さらに、吹き込み防止板２２は、側壁１１ａ（背面２１ｄ）から換気カバー２１内部の中央部に向かうに連れて下方に傾斜する（つまり、背面２１ｄから下斜め前方に向かって傾斜する）ように設けられている。また、吹き込み防止板２３は、前面２１ｃから換気カバー２１内部の中央部に向かうに連れて下方に傾斜する（つまり、前面２１ｃから下斜め後方に向かって傾斜する）ように設けられている。
【００２１】
図３に示すように、吹き込み防止板２２は、本体部３０と、本体部３０の左右方向Ｙの両端部に設けられた取付片３３とを有している。
本体部３０は、断面視略コ字状に形成されている。具体的には、本体部３０は、平板状に形成された板状部３１と、板状部３１の前後方向Ｘの両端部に一体的に形成され、その両端部から下方に突出された側壁部３２とを有している。これら板状部３１と側壁部３２とによって、下方に向かって開口する凹部が本体部３０の下面に形成されている。
【００２２】
板状部３１は、上下方向Ｚの平面視において左右方向Ｙが長手の略長方形状に形成されている。本例の板状部３１は、側面２１ａの内面から側面２１ｂの内面まで延出されている。板状部３１の短手方向（前後方向Ｘ）の長さは、背面２１ｄの内面から前面２１ｃの内面までの長さよりも短く設定されている。例えば、板状部３１の短手方向の長さは、背面２１ｄの内面から前面２１ｃの内面までの長さの０．５〜０．７倍程度の長さに設定されている。側壁部３２は、板状部３１の長手方向（左右方向Ｙ）の全長に亘って延出されている。
【００２３】
取付片３３は、本体部３０（板状部３１）の左右方向Ｙの両端部から上方に突出されている。各取付片３３は、板状部３１の短手方向の全長に亘って延出されている。各取付片３３の上端には、取付片３３を厚さ方向（左右方向Ｙ）に貫通する取付用切欠３４が前後方向Ｘに並んで形成されている。本例の取付用切欠３４は、前後方向Ｘよりも上下方向Ｚに長い長穴形状に形成されている。
【００２４】
そして、吹き込み防止板２２は、一方の取付片３３が換気カバー２１の側面２１ａに取り付けられ、他方の取付片３３が換気カバー２１の側面２１ｂに取り付けられている。具体的には、吹き込み防止板２２は、自身の各取付片３３に設けた取付用切欠３４に締結部材（図示略）を挿通させ、その締結部材により側面２１ａ（又は側面２１ｂ）に対して共締めされている。ここで、長穴形状に形成された取付用切欠３４における締結部材の取付位置を変更することにより、吹き込み防止板２２の取付角度（つまり、吹き込み防止板２２と背面２１ｄとがなす角度）を変更することができる。換言すると、各取付用切欠３４は、吹き込み防止板２２の取付角度を調整可能なように長穴形状に形成されている。
【００２５】
吹き込み防止板２３は、板状部３１及び側壁部３２からなる本体部３０と取付片３３とを有し、吹き込み防止板２２の構造と同様であるため、ここでは詳細な説明を省略する。なお、吹き込み防止板２３の取付片３３に設けた各取付用切欠３４は、吹き込み防止板２３の取付角度（つまり、吹き込み防止板２３と前面２１ｃとがなす角度）を調整可能なように長穴形状に形成されている。
【００２６】
一方、図２に示すように、箱体１１の側壁１１ａの内面には、換気扇４０が設けられている。換気扇４０は、ファン４１と、モータ４２と、支持枠４３とを有している。
換気扇４０は、例えば、箱体１１内部に設けられた温度センサ（図示略）により、作動及び停止が制御される。例えば、換気扇４０は、箱体１１内部の温度が温度センサの設定値を超過したときに作動する。換気扇４０の作動時には、その換気扇４０によって箱体１１内部の高温空気が吸い上げられ、換気口１３及び換気カバー２１内の通気路を通じて外部に排気される。このとき、換気カバー２１の内部では、高温空気が、吹き込み防止板２２と吹き込み防止板２３との間に形成された隙間（通気路）を経由して防虫網２４の通気口２４Ｘに排気される。これにより、箱体１１内の温度上昇を抑制することができる。
【００２７】
次に、換気装置２０の作用について説明する。
換気カバー２１内において、換気口１３と通気口２４Ｘとの間に、２つの吹き込み防止板２２，２３を互い違いに配列した。このため、激しい風等によって巻き上げられ、換気カバー２１の下方から内部に浸入した雨水や氷雪は、吹き込み防止板２２，２３で跳ね返り、換気カバー２１の外部に放出される。すなわち、吹き込み防止板２２，２３によって、雨水等の換気カバー２１への浸入が抑制される。このとき、吹き込み防止板２２，２３を、換気カバー２１の外周面（ここでは、背面２１ｄ又は前面２１ｃ）から換気カバー２１内部の中央部に向かうに連れて下方に傾斜するように設けた。これにより、上記激しい風等によって雨水等が吹き込み防止板２２，２３の下面を伝って移動する場合にも、その雨水等を上方（具体的には、吹き込み防止板２２，２３と換気カバー２１の外周面とによって形成される袋小路）に逃がすことができる。換言すると、迷路構造の通気路から離間する方向に雨水等を逃がすことができる。したがって、雨水等が吹き込み防止板２２，２３の間を通り抜けて換気口１３に辿り着くことが好適に抑制され、その雨水等が換気口１３を通じて箱体１１の内部に浸入することが好適に抑制される。
【００２８】
さらに、上述のように、吹き込み防止板２２，２３を斜め下方に傾斜するように設けたため、雨水等が吹き込み防止板２２，２３の下面に付着して残った場合であっても、その雨水等を吹き込み防止板２２，２３の下面を伝って下方に逃がすことができる（図２の破線矢印参照）。換言すると、迷路構造により下向きに雨水等を逃がすことができる。これにより、雨水等が換気口１３を通じて箱体１１の内部に浸入することが好適に抑制される。
【００２９】
次に、本実施形態の特徴的な効果を記載する。
（１）換気カバー２１内において、換気口１３と通気口２４Ｘとの間に、２つの吹き込み防止板２２，２３を互い違いに配列した。また、吹き込み防止板２２，２３を、換気カバー２１の背面２１ｄ又は前面２１ｃから換気カバー２１内部の中央部に向かうに連れて下方に傾斜するように設けた。これらにより、雨水等が換気口１３を通じて箱体１１の内部に浸入することを好適に抑制することができる。このため、雨水等に起因して箱体１１に収容された電気機器１２の絶縁が劣化することを好適に抑制することができる。
【００３０】
（２）また、複数の吹き込み防止板２２，２３によって雨水等の吹き込みを抑制するようにしたため、換気カバー２１内部に通気路を確保しつつも、吹き込み防止板が１つの場合よりも吹き込み防止板２２，２３の面積を広く確保することができる。例えば、吹き込み防止板２２，２３の間に通気路を確保しつつも、換気カバー２１の開口２１Ｘの全てと上下方向Ｚの平面視で重なるように吹き込み防止板２２，２３を配置することができる。これにより、換気カバー２１の開口２１Ｘを好適に閉塞することができ、換気カバー２１の下方から内部に浸入した雨水等を吹き込み防止板２２，２３で好適に止めることができる。したがって、スイッチギヤ１０の設置後に吹き込み防止板２２，２３の取付角度を変更することなく、雨水等が箱体１１の内部に浸入することを好適に抑制することができる。
【００３１】
（３）さらに、吹き込み防止板２２，２３を、換気カバー２１内部の中央部に向かって斜め下方に傾斜するように設けたため、それら吹き込み防止板２２，２３の上方にごみが侵入した場合であっても、そのごみを換気カバー２１の外部に好適に放出することができる。すなわち、吹き込み防止板２２，２３の上方に侵入したごみは、吹き込み防止板２２，２３の上面を転がり落ちるようにして外部に排出される。このため、吹き込み防止板２２，２３の上方にごみが侵入した場合であっても、そのごみが箱体１１内部に侵入することを好適に抑制することができる。
【００３２】
（４）吹き込み防止板２２，２３は、上下方向Ｚの平面視において一部が重なるように配置した。これら吹き込み防止板２２，２３によって、曲がりくねった迷路構造の通気路が形成される。このため、激しい風等によって巻き上げられた雨水や氷雪が通気口２４Ｘを通って換気カバー２１内部に浸入した場合であっても、その雨水等は２枚の吹き込み防止板２２，２３の間を通り抜け難くなっている。これにより、雨水等が吹き込み防止板２２，２３の間を通り抜けて換気口１３に辿り着くことを好適に抑制することができ、その雨水等が換気口１３を通じて箱体１１の内部に浸入することを好適に抑制することができる。
【００３３】
（５）吹き込み防止板２２，２３に設けた取付用切欠３４を、吹き込み防止板２２，２３の取付角度を調整可能なように長穴形状に形成した。これにより、スイッチギヤ１０の設置場所に応じて、吹き込み防止板２２，２３の取付角度を可変することができる。このため、雨水等が浸入しやすい環境か否かに応じて吹き込み防止板２２，２３の取付角度を調整することができ、箱体１１内部への雨水等の浸入を好適に抑制することができる。
【００３４】
（６）吹き込み防止板２２，２３の板状部３１の下面に側壁部３２を設けた。これにより、雨水等が板状部３１の下面を伝って下方に移動する場合に、その雨水等を側壁部３２で止めることができる。このため、雨水等が迷路構造の通気路に浸入することを好適に抑制することができる。
【００３５】
なお、上記実施形態は、以下のように変更してもよい。
・上記実施形態では、換気カバー２１の対向する外周面である前面２１ｃ及び背面２１ｄの両側から互い違いに吹き込み防止板２２，２３を配列した。これに限らず、例えば、換気カバー２１の対向する外周面である側面２１ａ，２１ｂの両側から互い違いに吹き込み防止板２２，２３を配列してもよい。例えば、この場合の吹き込み防止板２２は、側面２１ａから換気カバー２１内部の中央部に向かうに連れて下方に傾斜するように設けられる。また、この場合の吹き込み防止板２３は、側面２１ｂから換気カバー２１内部の中央部に向かうに連れて下方に傾斜するように設けられる。
【００３６】
・上記実施形態では、吹き込み防止板２２，２３を、上下方向Ｚの平面視で一部が重なるように配置した。これに限らず、例えば、吹き込み防止板２２，２３を、上下方向の平面視で重ならないように配置してもよい。
【００３７】
・上記実施形態における取付用切欠３４の形状は長穴形状に限定されない。
・上記実施形態における吹き込み防止板２２と吹き込み防止板２３との寸法は、同じ寸法であってもよいし、異なる寸法であってもよい。
【００３８】
・上記実施形態における吹き込み防止板２２と吹き込み防止板２３との取付角度は、同じ角度であってもよいし、異なる角度であってもよい。
・上記実施形態の吹き込み防止板２２，２３の本体部３０における側壁部３２を省略してもよい。
【００３９】
・上記実施形態において、吹き込み防止板２２，２３の個数は３つ以上であってもよい。
・上記実施形態における箱体１１の外形形状は、電気機器１２を収容可能な形状であれば特に限定されない。
【００４０】
・上記実施形態では、側壁１１ａの外面に換気装置２０を設けたが、スイッチギヤ１０の扉の外面に換気装置２０を設けるようにしてもよい。
・上記実施形態の換気口１３は排気口に具体化したが、換気口１３を、箱体１１内部に外気を取り入れる吸気口に具体化してもよい。
【００４１】
・上記実施形態の換気扇４０を省略してもよい。
【符号の説明】
【００４２】
１０…スイッチギヤ、１１…箱体、１１ａ…側壁（周壁）、１３…換気口、２０…換気装置、２１…換気カバー、２１ａ，２１ｂ…側面、２１ｃ…前面、２１ｄ…背面、２１Ｘ…開口、２２，２３…吹き込み防止板、２４…防虫網、２４Ｘ…通気口、３０…本体部、３３…取付片、３４…取付用切欠。
【図１】
2016208679.tif 000003
【図２】
2016208679.tif 000004
【図３】
2016208679.tif 000005